(57)【特許請求の範囲】
【請求項１】
照明器具をフィードバック制御する照明制御装置であって、
前記照明器具の被照射面の現在の明るさを示す明るさ情報を取得する明るさ情報取得部と、
前記被照射面の明るさの目標値を記憶する記憶部と、
前記明るさ情報取得部から前記明るさ情報を取得し、前記記憶部から前記目標値を取得する制御部と、
前記制御部が、前記フィードバック制御と並行して実行される前記照明器具のデマンド制御のために前記照明器具の省電力点灯の実行を指示する省電力信号を外部から受信するための受信部と、
前記制御部が生成する、前記照明器具を制御するための制御信号を前記照明器具に送信するための送信部とを備え、
前記制御部は、
前記省電力信号を受信していないとき、前記目標値及び前記明るさ情報に基づいて前記照明器具の調光率を決定し、前記調光率を示す前記制御信号を、前記送信部を介して前記照明器具に送信することで前記フィードバック制御を実行し、
前記省電力信号を受信しているとき、前記目標値に所定の割合を乗じて下げ、下げられた前記目標値及び前記明るさ情報に基づいて前記照明器具の調光率を決定し、
決定された前記調光率を示す前記制御信号を、前記送信部を介して前記照明器具に送信することで前記デマンド制御を実行し、
前記制御部は、前記省電力信号として、第１省電力信号及び前記第１省電力信号よりも優位に設定されている第２省電力信号の少なくとも一方を受信し、
前記所定の割合として、前記第１省電力信号及び前記第２省電力信号のうち、前記第１省電力信号のみを受信しているときに前記目標値に乗じられる第１割合と、前記第２省電力信号のみを受信しているときに前記目標値に乗じられる、前記第１割合と異なる第２割合とが設定されており、
前記第１省電力信号及び前記第２省電力信号の両方を並行して受信している場合、前記制御部は前記目標値に前記第２割合を乗じて前記目標値を下げる
照明制御装置。
【請求項２】
前記制御部は、ユーザが前記照明器具のシーン制御のために外部機器にした前記照明器具の明るさを変更するための操作に基づく第１操作信号を前記外部機器から前記受信部を介してさらに受信し、
前記制御部は、
前記省電力信号を受信しているときに前記第１操作信号を受信すると、下げられた前記目標値を、前記シーン制御のために前記所定の割合とは別個に設定されている割合を用いて変更し、
決定された前記調光率を、変更された前記目標値及び前記明るさ情報に基づいて変更し、
変更された前記調光率を示す前記制御信号を、前記送信部を介して前記照明器具に送信する
請求項１に記載の照明制御装置。
【発明の詳細な説明】
【技術分野】
【０００１】
本発明は、測定によって得た被照射面の明るさに基づいて照明器具の出力をフィードバック制御する照明制御装置に関する。
【背景技術】
【０００２】
照明器具の出力（調光率）に対し、測定によって得た被照射面の明るさに基づいてフィードバック制御を実行する仕組みを備える照明装置が提案されている（例えば特許文献１参照）。このような照明装置は、例えば室内に窓から入る昼光による明るさを利用しながら照射領域の明るさを一定の範囲内に保つことで、照明器具の出力を抑えて省電力を図ることができる。
【０００３】
また、照明器具の出力を変化させる制御を実行するものとして、一需要場所での使用電力を監視して、一定時間の使用電力が所定の設定値を超えないようにその出力を抑えるデマンドコントローラが知られている（例えば特許文献２参照）。このようなデマンドコントローラは、例えば、この需要場所での最大使用電力が、電力会社との契約で定められている契約電力を超えないように抑える目的で使用される。
【先行技術文献】
【特許文献】
【０００４】
【特許文献１】特開平１０−３０２９６８号公報
【特許文献２】特開２００４−１８０４１１号公報
【発明の概要】
【発明が解決しようとする課題】
【０００５】
上記のデマンドコントローラによる制御下では、デマンドコントローラからデマンド制御（より具体的には省電力点灯）の実行の指示が発せられると、照明器具の調光率があらかじめ設定された値に変更される。例えば省電力点灯時の調光率が７０％に設定されている場合、省電力点灯の指示を受けている照明器具の調光率は、それまでの調光率に関わらず７０％に変更される。
【０００６】
しかしながら、上記のような照明装置において、フィードバック制御によって照明器具の出力がすでに抑えられている状態でデマンドコントローラによるこのような制御が実行されると、この照明器具の調光率は上昇し、かえって消費電力が増大する場合がある。
【課題を解決するための手段】
【０００７】
本発明の一態様に係る照明制御装置は、照明器具をフィードバック制御する照明制御装置であって、前記照明器具の被照射面の現在の明るさを示す明るさ情報を取得する明るさ情報取得部と、前記被照射面の明るさの目標値を記憶する記憶部と、前記明るさ情報取得部から前記明るさ情報を取得し、前記記憶部から前記目標値を取得する制御部と、前記制御部が、前記フィードバック制御と並行して実行される前記照明器具のデマンド制御のために前記照明器具の省電力点灯の実行を指示する省電力信号を外部から受信するための受信部と、前記制御部が生成する、前記照明器具を制御するための制御信号を前記照明器具に送信するための送信部とを備え、前記制御部は、前記省電力信号を受信していないとき、前記目標値及び前記明るさ情報に基づいて前記照明器具の調光率を決定し、前記調光率を示す前記制御信号を、前記送信部を介して前記照明器具に送信することで前記フィードバック制御を実行し、前記省電力信号を受信しているとき、前記目標値に所定の割合を乗じて下げ、下げられた前記目標値及び前記明るさ情報に基づいて前記照明器具の調光率を決定し、決定された前記調光率を示す前記制御信号を、前記送信部を介して前記照明器具に送信することで前記デマンド制御を実行し、前記制御部は、前記省電力信号として、第１省電力信号及び前記２第省電力信号よりも優位に設定されている第２省電力信号の少なくとも一方を受信し、前記所定の割合として、前記第１省電力信号及び前記第２省電力信号のうち、前記第１省電力信号のみを受信しているときに前記目標値に乗じられる第１割合と、前記第２省電力信号のみを受信しているときに前記目標値に乗じられる、前記第１割合と異なる第２割合とが設定されており、前記第１省電力信号及び前記第２省電力信号の両方を並行して受信している場合、前記制御部は前記目標値に前記第２割合を乗じて前記目標値を下げる。
【発明の効果】
【０００８】
本発明の一態様に係る照明制御装置は、フィードバック制御によって出力を抑えている照明器具にデマンドコントローラによるデマンド制御を適用しても出力を上昇させず、より確実に省電力を図ることができる。
【図面の簡単な説明】
【０００９】
【図１】図１は、実施の形態に係る照明制御装置を含む照明システムの構成例を示す図である。
【図２】図２は、実施の形態に係る照明制御装置の機能的構成の例を示すブロック図である。
【図３】図３は、上記の照明システムにおけるフィードバック制御系の動作の概要を示すブロック図である。
【図４】図４は、実施の形態に係る照明制御装置に外部から入る信号に対応する調光率の変化を示すタイミング図である。
【図５Ａ】図５Ａは、実施の形態に係る照明制御装置において、デマンドコントローラからの省電力信号に対応づけて設定される調光率のデータ構成の例を示す図である。
【図５Ｂ】図５Ｂは、実施の形態に係る照明制御装置において、リモートコントローラからの第１操作信号に対応づけて設定される調光率のデータ構成の例を示す図である。
【図６】図６は、実施の形態の変形例に係る照明制御装置の機能的構成の例を示すブロック図である。
【図７】図７は、実施の形態の変形例に係る照明制御装置に外部から入る信号に対応する調光率の変化を示すタイミング図である。
【図８】図８は、実施の形態の変形例に係る照明制御装置において、デマンドコントローラからの省電力信号に対応づけて設定される調光率のデータ構成の例を示す図である。
【発明を実施するための形態】
【００１０】
以下、本発明の実施の形態について説明する。なお、以下に説明する実施の形態は本発明の好ましい一具体例を示すものである。したがって、以下の実施の形態で示される、数値、形状、材料、構成要素、及び、構成要素の配置や接続形態などは、一例であって本発明を限定する趣旨ではない。よって、以下の実施の形態における構成要素のうち、本発明の最上位概念を示す独立請求項に記載されていない構成要素については、任意の構成要素として説明される。
【００１１】
また、各図は模式図であり、必ずしも厳密に図示されたものではない。なお、各図において、実質的に同一の構成に対しては同一の符号を付しており、重複する説明は省略又は簡略化する。
【００１２】
（実施の形態）
以下、実施の形態に係る照明制御装置について説明する。
【００１３】
［１．構成］
［１−１．照明システムの構成］
まずは、本実施の形態に係る照明制御装置の、需要場所における役割の概要を説明するために、この照明制御装置を含む照明システムの構成を説明する。図１は、実施の形態に係る照明制御装置１００を含む照明システム１０の構成例を示す。
【００１４】
照明システム１０は、事業所等の電力の一需要場所に設置され、照明制御装置１００の他に、照明器具２００、リモートコントローラ３００、デマンドコントローラ４００、及び電源５００を含む。
【００１５】
電源５００は交流の商用電源である。照明制御装置１００、照明器具２００、及びデマンドコントローラ４００は、電源５００から電力の供給を受けて稼働する。
【００１６】
照明制御装置１００は、リモートコントローラ３００及びデマンドコントローラ４００からの指示に従って照明器具２００の点消灯及び点灯時の出力（調光率）を制御する。
【００１７】
また、照明制御装置１００は、照明器具の被照射面の明るさを計測するセンサから当該明るさを示す情報（以下、明るさ情報ともいう）を取得し、この明るさ情報に基づいて、照明器具２００の出力のフィードバック制御を実行する。図１に示される構成例では、この制御のための信号は所定の周波数帯の電波を媒体とする無線通信によって各照明器具２００に送信されている。この明るさ情報に基づくフィードバック制御については、照明制御装置１００の詳細な構成の説明の後に詳述する。
【００１８】
照明器具２００は、需要場所にある事業所等の建物の天井等に設置される。図１に示される構成例では、複数の照明器具２００が含まれる。照明器具２００は、光源（図示なし）と、上述の照明制御装置１００との無線通信をするための通信部（図示なし）とを備える。
【００１９】
照明器具２００が備えるこの光源は、例えば発光ダイオード（ＬＥＤ：Ｌｉｇｈｔ−Ｅｍｉｔｔｉｎｇ  Ｄｉｏｄｅ）であり、パルス幅変調によって出力を変えること（調光）ができる。図１に示される構成例では、各照明器具２００は共通の照明制御装置１００によって調光のための制御がなされている。
【００２０】
リモートコントローラ３００は、照明器具２００の点消灯の切替及び明るさの変更のためにユーザが操作する装置である。ユーザがリモートコントローラ３００を操作すると、この操作に基づく信号（以下、操作信号ともいう）がリモートコントローラ３００から照明制御装置１００に送信される。また、リモートコントローラ３００は、ユーザ又は照明システム１０を需要場所に設置する施工業者等による、照明システム１０の各種の設定にも用いられてもよい。例えば、照明制御装置１００と各照明器具２００との通信のためのペアリングがリモートコントローラ３００を用いてされてもよい。このようなリモートコントローラ３００は、例えば、赤外線を媒体として照明制御装置１００との通信する赤外線リモコンで実現される。
【００２１】
デマンドコントローラ４００は、例えば需要場所にある受電設備の中に設置され、この需要場所での使用電力を常時監視する装置である。使用電力が所定の値を超えそうになると、デマンドコントローラ４００は、例えば照明制御装置１００に照明器具２００の省電力点灯の実行を指示する信号（以下、省電力信号ともいう）を入力する。また、デマンドコントローラ４００は、照明システム１０の外部、例えば電気事業者から通信網を介して省電力を要請する信号を受信し、この要請に応じて照明制御装置１００に省電力信号を入力してもよい。
【００２２】
以上が照明システム１０の構成の一例であるが、本実施の形態に係る照明制御装置１００を含み得る照明システムの構成はこれに限定されない。
【００２３】
例えばリモートコントローラ３００は赤外線ではない通信媒体を用いる無線方式で照明制御装置１００と通信するものでもよい。例えばＢｌｕｅｔｏｏｔｈ（登録商標）やＺｉｇＢｅｅ（登録商標）等の規格に準じた通信方式が用いられてもよい。また、図１に示されるような移動可能なものではなく、壁埋込型のものや、照明制御装置１００と有線で通信するものでもよい。また、無線のものと有線のものとの両方が照明システム１０に含まれてもよい。また、複数のリモートコントローラ３００がある場合には、リモートコントローラ３００間で、選択可能な操作の対象である照明器具２００の単位や機能に差があってもよい。
【００２４】
また、照明器具２００が備える光源は、有機ＥＬ（ＥＬｅｃｔｒｏｌｕｍｉｎｅｓｃｅｎｃｅ）などの他種の調光可能な光源であってもよく、ＬＥＤに限定されない。そして出力の制御の方式は上記のパルス幅変調に限定されず、各光源に適した方式が採用される。
【００２５】
［１−２．照明制御装置の構成］
次に、本実施の形態に係る照明制御装置１００の構成を説明する。図２は、本実施の形態に係る照明制御装置１００の機能的構成の例を示すブロック図である。
【００２６】
照明制御装置１００は、記憶部１１０、制御部１２０、明るさ情報取得部１３０、送信部１４０、及び受信部１５０を備える。
【００２７】
記憶部１１０は、後述の制御部１２０が実行するプログラム、及びこのプログラムを実行する制御部１２０が、所定の処理のために取得して参照するデータを記憶する。このデータの例としては、上述した照明システム１０の設定の内容を示すデータが挙げられる。また、照明システム１０において実行される照明器具２００のフィードバック制御で用いられる目標値も、記憶部１１０に記憶され、制御部１２０が取得して参照するデータである。その他に、制御部１２０が処理の実行途中で、又は結果として得た生成したデータも、必要に応じて記憶部１１０に記憶される。このような記憶部１１０は、例えば照明制御装置１００が備えるマイクロコントローラに含まれるＲＯＭ（Ｒｅａｄ−Ｏｎｌｙ  Ｍｅｍｏｒｙ）及びＲＡＭ（Ｒａｎｄｏｍ  Ａｃｃｅｓｓ  Ｍｅｍｏｒｙ）で実現される。
【００２８】
制御部１２０は、記憶部１１０に記憶される上記のプログラムを読み出して実行し、照明器具２００を制御するための信号（以下、制御信号ともいう）を生成する。例えば制御部１２０は、上記のプログラムの実行による演算の結果を示す信号を制御部１２０が出力することでこの制御信号を生成する。または、このプログラムに従って、記憶部１１０に記憶されるデータから、選択した命令を示す信号を出力することでこの制御信号を生成してもよい。生成された制御信号は、後述の送信部１４０を介して各照明器具２００に送信される。この照明器具２００の制御を、制御部１２０は、記憶部１１０に記憶される上述のデータ、又は明るさ情報取得部１３０若しくは受信部１５０から取得する情報や信号に基づいて実行する。この制御については、照明制御装置１００の動作の説明として後述する。このような制御部１２０は、例えば照明制御装置１００が備えるマイクロコントローラのプロセッサで実現される。
【００２９】
明るさ情報取得部１３０は、照明器具２００の出射光で照射される範囲にある、床や家具等の物の表面（被照射面）の現在の明るさを取得して制御部１２０に逐次送信する。より具体的には、明るさ情報取得部１３０は例えば光電変換をする光センサを用いて実現され、照明器具２００の照射範囲にある床面や机上面等から受けた反射光を感知して、その強さに応じた電圧に変換する。そしてこの電圧の値に基づく信号が制御部１２０に入力される。電圧の値に基づく信号とは、例えば必要に応じて増幅、ノイズ除去、Ａ／Ｄ変換等の処理がなされた信号である。なお、明るさ情報取得部１３０は、これらの処理を実行するための増幅回路、フィルタ回路、Ａ／Ｄ変換器等を含んでもよい。このように、明るさ情報取得部１３０は、被照射面の現在の明るさを示す明るさ情報を取得して出力し、制御部１２０は、この明るさ情報を取得する。制御部１２０は、この明るさ情報が示す明るさが一定に保たれるように照明器具２００の出力を制御する。例えば被照射面に外光が入っているときには、外光がないときに比べて照明器具２００の調光率は下げられる。また、例えば雲が出て被照射面に届く外光が弱まると、照明器具２００の調光率は上げられる。つまり、明るさ情報取得部１３０は、上記のフィードバック制御において、状態検出をして制御量を取得し出力する構成要素である。
【００３０】
この目標値は、例えば明るさ情報取得部１３０を用いて設定されてもよい。具体的には、まず需要場所にある建物のある部屋の照明器具２００を、外光の影響がない状態で（例えば夜間に）点灯させる。次に施工業者又はユーザが、リモートコントローラ３００を操作して照明器具２００の調光率を調整し、所望の明るさが得られた状態で目標値を決定する操作をする。このときに明るさ情報取得部１３０が計測して取得した、照明器具２００の被照射面の明るさを示す値が目標値として記憶部１１０に記憶される。
【００３１】
送信部１４０は、例えば照明制御装置１００が備えるマイクロコントローラの出力ポート及び無線モジュールで実現され、制御部１２０が生成した信号を照明器具２００へ無線で送信する。また、リモートコントローラ３００が上記で例示した赤外線リモコンである場合には、送信部１４０は赤外線通信モジュールも用いて実現される。送信部１４０からリモートコントローラ３００へは、例えばリモートコントローラ３００を用いた照明システム１０の設定時に、現在の設定状況が送信される。
【００３２】
受信部１５０は、例えば照明制御装置１００が備えるマイクロコントローラの入力ポートであり、制御部１２０は、受信部１５０を介して照明制御装置１００の外部にあるデマンドコントローラ４００から、デマンド制御、つまり照明器具２００の省電力点灯の実行を指示する省電力信号を受信する。
【００３３】
照明制御装置１００では、制御部１２０が省電力信号の受信中であるか否かに基づいて照明器具２００の省電力点灯を実行するか否かを決定される。この省電力信号は例えば無電圧の接点入力で照明制御装置１００に入力される。この場合、制御部１２０は、例えば上記の入力ポートを介して一定の周期でこの接点入力の状態を検知し、ＯＦＦ状態の検知が所定の回数連続した場合に省電力信号が入力されたと判定することで省電力信号を受信する。それからＯＦＦ状態の検知が続く間、制御部１２０は省電力信号を継続的に受信する。その後にＯＮ状態の検知が所定の回数連続すると、制御部１２０は省電力信号の入力なしと判定し、省電力信号を受信していない状態になる。
【００３４】
また、この例の場合、制御部１２０が省電力信号を受信しているときに用いられる調光率は省電力信号には示されず、設定値のひとつとしてあらかじめ記憶部１１０に記憶されている。この調光率は、例えば照明システム１０の設置時に、施工業者によって設定されてもよい。制御部１２０は、記憶部１１０からこの調光率を取得し、この調光率を用いて照明器具２００の省電力点灯のための制御を実行する。
【００３５】
また、ユーザや施工業者による操作に応じたリモートコントローラ３００からの信号も、受信部１５０を介して制御部１２０に入力される。したがって、リモートコントローラ３００が上記のような赤外線リモコンである場合には、受信部１５０は赤外線通信モジュールも用いて実現される。リモートコントローラ３００から送信される信号は、例えば照明器具２００の点消灯や明るさの変更の指示を示す。また、上記の照明システム１０の設置時の設定にリモートコントローラ３００が用いられる場合には、この設定の内容や設定に関する指示を示す。
【００３６】
［２．動作］
［２−１．フィードバック制御系の動作］
以下、照明システム１０におけるフィードバック制御系の動作の概要について図３を参照して説明する。図３は、照明システム１０におけるフィードバック制御系の動作の概要を示すブロック図である。フィードバック制御系の動作は、照明制御装置１００の上記の各構成要素が連携して実行する。
【００３７】
まず、制御部１２０は、照射領域の明るさの目標値を記憶部１１０から取得し、被照射面の現在の明るさを示す明るさ情報を、明るさ情報取得部１３０から取得する。この被照射面の明るさは、このフィードバック制御系における制御量である。また、このフィードバック制御系には外光等の外乱がある。
【００３８】
次に制御部１２０は、これらの目標値と、明るさ情報が示す明るさとを比較してその差を求める。差がある場合、制御部１２０はこの差をなくすための調光率を決定し、決定した調光率を示す制御信号を生成して制御対象である照明器具２００に送信する。この調光率は、このフィードバック制御系における操作量である。
【００３９】
明るさ情報取得部１３０は、被照射面の明るさを常時計測している。制御部１２０は、調光率を示す制御信号を送信した後に最新の明るさ情報を明るさ情報取得部１３０から取得し、上記の比較以降の一連の処理を再び実行する。
【００４０】
このように、制御部１２０は、明るさの目標値と明るさ情報とに基づく調光率の決定と、この決定した調光率の送信を周期的に実行する。この動作が稼働中の照明システム１０において継続的に反復して実行されることで、被照射面の明るさが目標値（または目標値から一定の範囲の誤差内）に保たれる。
【００４１】
外乱である外光は自然現象に大きく拠るものであり強さが変化しやすいが、例えばこの明るさ情報の取得から送信までを含む動作の周期が数秒程度の短い時間であれば、一周期の間にはユーザが気付くほどの大きな変化は起こりにくい。したがって、このフィードバック制御によって、照明器具２００の出力はこの外光の変化に応じたユーザが気付きにくい程度の小刻みな変化を重ねて補正される。
【００４２】
このように照明制御装置１００は、外光の強さの変化を相殺するように照明器具２００の出力を変化させることで照射領域の明るさを目標値の前後でほぼ一定に保つ。また、照明制御装置１００は、室内の一定の明るさを確保するために外光を利用することで照明器具２００の出力を抑え、省電力を実現する。
【００４３】
なお、照明制御装置１００では、照明器具２００に対して、上記のフィードバック制御に加えて、デマンドコントローラ４００等の照明制御装置１００の外部の機器から入る信号に応じた制御も実行される。以下では、この外部から照明制御装置１００に入る信号に応じた、制御部１２０を中心とする動作について説明する。
【００４４】
［２−２．外部からの信号に対する制御の動作］
図４は、照明システム１０が設置されている一需要場所における、照明制御装置１００に外部から入力される信号に対応する調光率の変化を示すタイミング図である。
【００４５】
図４に示される省電力信号、第１操作信号、及び第２操作信号は、照明制御装置１００に外部から入る信号の例である。
【００４６】
省電力信号は、デマンドコントローラ４００から送信される、デマンド制御のための省電力点灯の実行を指示する信号である。この省電力信号は基本的に、照明システム１０が設置されている需要場所全体に有効であり、照明制御装置１００によって制御される照明器具２００のすべてが対象である。
【００４７】
なお、図４を参照してする以下の説明では、例として、上記の構成を有する照明システム１０において、省電力信号に対応づけて設定されている調光率は８０％である。この調光率は、例えば上述のとおり照明システム１０の設置時に施工業者によってリモートコントローラ３００を用いて設定され、記憶部１１０に記憶されている。図５Ａは、デマンドコントローラ４００からの省電力信号に対応づけて設定され、記憶部１１０に記憶される調光率のデータ構成の例を示す。
【００４８】
第１操作信号は、例えばリモートコントローラ３００をユーザが操作することで送信される信号である。リモートコントローラ３００もデマンドコントローラ４００と同様に、照明制御装置１００にとっての外部機器のひとつである。第１操作信号は省電力信号と異なり、例えば特定の部屋等、需要場所の一部である一区画における調光率の変更を指示する信号であり、例えば所定のシーンのために設定された態様での点灯の制御コードを示す８ビットの信号である。このシーンのための特定の照明態様を実現する制御（以下、シーン制御ともいう）は、例えばリモートコントローラ３００にひとつの機能として登録され、特定のキーを押すだけで上記の８ビットの信号が照明制御装置１００に送信されてもよい。
【００４９】
なお、デマンド制御下で省電力点灯が実行されている場合、この区画では、シーン制御の調光率がデマンド制御で指示される調光率に優先して適用される。以下の説明では例として、このようなシーン制御のための調光率が７０％に設定されている。この調光率も例えばリモートコントローラ３００を用いて設定されて記憶部１１０に記憶される。図５Ｂは、リモートコントローラ３００からの第１操作信号に対応づけて設定され、記憶部１１０に記憶される調光率のデータ構成の例を示す。図５Ｂの例では、シーン制御の設定が２件登録されている。このように、照明システム１０は、シーン制御の複数の設定が登録されるように構成されてもよい。
【００５０】
第２操作信号は、例えばリモートコントローラ３００をユーザが操作することで送信される信号である。第２操作信号は省電力信号及び第１操作信号と異なり、例えば個別の照明器具２００の照明態様の制御（以下、スポット制御ともいう）のための信号であり、調光率を指定して指示する信号である。このようなスポット制御は、例えば特定の机の机上面のみを所望の明るさで照明する場合に実行される。なお、シーン制御が実行されている区画でスポット制御が実行された場合、第２操作信号で制御される照明器具２００では、スポット制御で指示された調光率が、シーン制御で指示される調光率に優先して適用される。また、スポット制御の対象である照明器具２００は、上記のフィードバック制御の対象から外される。つまり、当該照明器具２００に対しては目標値に基づく明るさの調整は実行されない。
【００５１】
以下、上記の各信号の入力に対する照明制御装置１００の動作を時系列に沿って説明する。なお、下記の動作は例示を目的として想定したものであり、本実施の形態に係る照明制御装置１００およびこれを含む照明システム１０の動作はこの下記の内容に限定されない。また、下記の調光率の数値は例示を目的として挙げるものであり、本実施の形態に係る照明制御装置１００の動作はこれらの数値に限定されない。
【００５２】
まず、最初の時間区間である区間Ａでは、この需要場所で省電力点灯の実行を指示する省電力信号は発せられていない。また、シーン制御及びスポット制御はいずれも実行されていない。このとき照明制御装置１００の制御部１２０は、区間Ａにおいて上述のフィードバック制御を実行している。すなわち、制御部１２０は、明るさ情報取得部１３０から取得する明るさ情報が示す明るさが、記憶部１１０から取得した目標値になるよう調光率を決定し、決定した調光率を示す制御信号を、送信部１４０を介して照明器具２００に送信する。図示の例では、区間Ａにおいては約５０％の調光率で目標値の明るさが得られている。
【００５３】
なお、図４において調光率の推移を示す線が二重線である範囲では、フィードバック制御が実行されて調光率が決定されていることを示す。
【００５４】
区間Ａに続く区間Ｂは、デマンドコントローラ４００から省電力点灯の実行を指示する省電力信号が発せられた時に開始する。省電力信号を受信した制御部１２０は、記憶部１１０にアクセスして、この省電力信号に対応づけられた調光率を取得する。この例で、制御部１２０が取得する調光率は８０％である。
【００５５】
ここで、記憶部１１０から取得された調光率がそのまま照明器具２００に適用されると、調光率は図４において破線で示される推移を示す。つまり、この場合の区間Ｂでの調光率は区間Ａよりも高い。つまり照明器具２００は、省電力での動作を実現できない。続く区間Ｃにおいても同様である。
【００５６】
しかし本実施の形態に係る照明制御装置１００では、制御部１２０は上記の調光率を照明器具２００に適用せず、代わりにその調光率を示す割合を目標値に乗じる。そして制御部１２０は、この乗算によって下げられた目標値と、逐次取得する明るさ情報とに基づいて照明器具２００の調光率を決定する。この場合の調光率は、区間Ａよりも区間Ｂで低い。したがって照明器具２００の省電力点灯が実現される。図示の例では、区間Ｂにおいては約４３％の調光率で元の目標値の８０％の明るさが得られている。
【００５７】
なお、調光率は、制御部１２０によるフィードバック制御で外光等の外乱の影響を相殺するように調整されるため、目標値が元の８０％に下げられても同じく８０％に下がるとは限らない。図４に示される例で区間Ｂでの調光率が区間Ａでの調光率の８０％ではないのはこの理由による。
【００５８】
区間Ｂに続く区間Ｃは、リモートコントローラ３００からシーン制御を開始する第１操作信号が発信された時に開始する。なお、図４での区間Ｃでの調光率は、シーン制御が適用される区画にある照明器具２００の調光率を示す。
【００５９】
上記のとおり、この区画では、シーン制御の調光率がデマンド制御で指示される調光率に優先して適用される。ここで、シーン制御で適用される調光率である７０％が照明器具２００にそのまま適用されると、調光率は図４の区間Ｃにおいて破線で示される線に沿った推移を示す。つまり、この場合の区間Ｃでの調光率は区間Ａよりも高い。つまりこの場合も、照明器具２００は、省電力での動作を実現できない。
【００６０】
しかし本実施の形態に係る照明制御装置１００では、受信部１５０を介して第１操作信号を受信した制御部１２０は、上記の調光率をそのまま照明器具２００に適用するのではなく、その調光率を示す割合を元の目標値に乗じる。そして制御部１２０は、この乗算によって下げられた目標値と、逐次取得する明るさ情報とに基づいて照明器具の調光率を決定する。この場合の調光率は、区間Ａよりも区間Ｃで低い。したがって照明器具２００は省電力での動作を実現することができる。図示の例では、区間Ｃにおいては約３３％の調光率で元の目標値の７０％の明るさが得られている。
【００６１】
なお、目標値が元の７０％に下げられても調光率が同じ割合に下がらないのは、区間Ｂの場合と同じ理由である。
【００６２】
区間Ｃに続く区間Ｄは、リモートコントローラ３００からスポット制御を開始する第２操作信号が発信された時に開始する。なお、図４での区間Ｄでの調光率は、シーン制御による調光率が適用された区画にある照明器具２００に、さらにスポット制御によって適用される調光率を示す。
【００６３】
上記のとおり、スポット制御の対象の照明器具２００では、スポット制御の調光率がシーン制御で指示される調光率に優先して適用される。また、デマンド制御はスポット制御よりも優位である。以下では、ユーザがリモートコントローラ３００に、対象の照明器具２００の調光率が６０％になるような操作をした場合について説明する。
【００６４】
上述のとおり、スポット制御の対象の照明器具２００はフィードバック制御の対象から外され、区間Ｂ又は区間Ｃで実行されたような明るさの目標値に基づく制御は実行されない。したがって区間Ｄでは、本実施の形態に係る照明制御装置１００による制御の有無に拘わらず、当該照明器具２００には同じ調光率が適用される。具体的には、当該照明器具２００に対しては、スポット制御による調光率である６０％にデマンド制御で指示される８０％を乗じた４８％の調光率が適用される。また、この状態でシーン制御の実行が解除されても、当該照明器具２００に適用される調光率は変化しない。
【００６５】
その後にさらにデマンド制御が解除されると、当該照明器具２００にはスポット制御による調光率である６０％が適用される（図４の区間Ｅ）。
【００６６】
［３．効果等］
このように、照明器具２００を制御する本実施の形態における照明制御装置１００は、明るさ情報取得部１３０、記憶部１１０、制御部１２０、受信部１５０、及び送信部１４０を備える。
【００６７】
明るさ情報取得部１３０は、被照射面の明るさを示す明るさ情報を取得する。記憶部１１０は、被照射面の明るさの目標値を記憶する。制御部１２０は、外部から受信部１５０を介して照明器具２００の省電力点灯の実行を指示する省電力信号を受信する。また、制御部１２０は、明るさ情報取得部１３０から明るさ情報を取得し、記憶部１１０から目標値を取得する。また、制御部１２０が生成する、照明器具２００を制御するための制御信号は、送信部１４０を介して照明器具２００に送信される。
【００６８】
そして省電力点灯の実行を指示する省電力信号を受信していないとき、制御部１２０はこれらの目標値及び明るさ情報に基づいて照明器具２００の調光率を決定する。この動作によって実行される制御が、上記の区間Ａにおける制御である。また、省電力点灯の実行を指示する省電力信号を受信しているとき、制御部１２０は目標値を所定の割合を乗じて下げ、下げられた目標値及び明るさ情報に基づいて照明器具２００の調光率を決定する。この所定の割合とは、図４を参照して上述された例では、デマンド制御によって省電力点灯の実行するための調光率としてあらかじめ設定されていた８０％である。そして上述の例では、元の目標値にこの８０％を乗じて目標値が下げられている。
【００６９】
制御部１２０は、このように決定された調光率を示す制御信号を生成し、この制御信号を、送信部１４０を介して照明器具２００に送信する。
【００７０】
このような動作によって実行される制御が、上述の例において区間Ｂで実行される制御である。制御部１２０は、このようにして照明器具２００の明るさを制御量とするフィードバック制御を実行する。
【００７１】
上記の照明制御装置１００が外部から受信する省電力信号とは、例えばデマンドコントローラ４００が発する信号である。省電力点灯の実行を指示する省電力信号をデマンドコントローラ４００から受けた場合、照明制御装置１００は、照明器具２００に適用する調光率を省電力点灯の指示に対応する調光率に変更するのではなく、目標値にこの省電力点灯の指示に対応する調光率の割合（上記の所定の割合に該当）を乗じて下げる。これにより、フィードバック制御とデマンド制御との調和が図られ、照明システム１０は省電力での動作を実現することができる。
【００７２】
なお、省電力点灯の実行を指示する省電力信号は例えば無電圧接点入力であり、制御部１２０が省電力信号を受信しているときに照明器具２００に適用される調光率は、例えばリモートコントローラ３００を用いて設定され、記憶部１１０に記憶される。
【００７３】
また、制御部１２０は、ユーザが外部機器にした照明器具２００の明るさを変更するための操作に基づく第１操作信号を受信部１５０を介してさらに受信してもよい。ここでの外部機器とは、例えばリモートコントローラ３００であり、第１操作信号はシーン制御のための信号である。
【００７４】
制御部１２０は、省電力信号を受信しているときに第１操作信号を受信すると、上記の下げられた目標値を、所定の割合とは別個の割合を用いてさらに変更し、上記の決定された調光率を、明るさ情報及びこの変更された目標値に基づいて変更してもよい。ここでの所定の割合とは別個の割合とは、上記のシーン制御の実行時の調光率としてあらかじめ設定されていた割合であり、図４を参照して上述された例では７０％である。そして上述の例では、下げられた目標値を８０％で除して元の目標値を得て、この元の目標値に７０％を乗じることで、あらためて目標値を下げる変更をしている。なお、シーン制御の実行時の調光率としてあらかじめ設定されていた割合が例えば９０％であれば、この変更によって目標値は区間Ｂより上昇する。
【００７５】
制御部１２０はこのように変更された調光率を示す制御信号を生成し、この制御信号を、送信部１４０を介して照明器具２００に送信する。
【００７６】
このような動作によって実行される制御が、上述の例において区間Ｃでの制御である。デマンド制御による照明の省電力点灯が実行されている需要場所で部分的に別の照明態様を適用するためのシーン制御が実行される場合にも、照明システム１０は省電力での動作を実現することができる。
【００７７】
以上、本発明の一態様に係る照明制御装置について、実施の形態に基づいて説明したが、本発明は、この実施の形態に限定されるものではない。本発明の趣旨を逸脱しない限り、当業者が思いつく各種変形を本実施の形態に施したものも、本発明の範囲内に含まれてもよい。
【００７８】
例えば、上述の照明システム１０では、照明制御装置１００は、デマンド制御、シーン制御、及びスポット制御の３種類の制御の入力を１系統ずつ受けている。しかし、本発明に係る照明制御装置の各種類の制御の入力の数は１つに限定されない。シーン制御やスポット制御の入力系統はなくてもよいし、デマンド制御の入力系統が複数あってもよい。以下では、デマンド制御の入力系統を２つ備える照明制御装置について、本実施の形態の変形例として説明する。
【００７９】
（実施の形態の変形例）
［１．構成］
図６は、本変形例に係る照明制御装置１０１の機能的構成の例を示すブロック図である。照明制御装置１０１の各構成要素は照明制御装置１００と共通であるため、照明制御装置１００と共通の参照符号を付し、これらの詳細な説明については省略する。
【００８０】
照明制御装置１０１は、照明制御装置１０１では受信部１５０がデマンドコントローラ４００からのデマンド制御を２つの入力系統で受けている点で照明制御装置１００と異なる。以下では、これらの入力系統の一方で受信される省電力信号を第１省電力信号、他方で受信される省電力信号を第２省電力信号として区別する。
【００８１】
第１省電力信号及び第２省電力信号は、それぞれ単独では照明制御装置１００に入力される上記の省電力信号と同じ性質のものである。つまり、いずれも無電圧の接点入力の信号である。また、制御部１２０が各省電力信号を受信しているときの調光率は、リモートコントローラ３００を用いて設定されて、記憶部１１０に記憶される。ただし、制御部１２０が第１省電力信号を受信しているときに目標値に乗じられる割合（以下、第１割合ともいう）と、第２省電力信号を受信しているときに目標値に乗じられる割合（以下、第２割合ともいう）とは、異なる値が設定されている。
【００８２】
また、第１省電力信号と第２省電力信号とは、一方が他方に対して優位な信号に設定されている。例えば第２省電力信号が第１省電力信号に対して優位な信号に設定されていると想定する。この場合、これらの２つの省電力信号を並行して受信しているとき、制御部１２０は、第２割合を乗じて下げる。これにより、照明器具２００の複数レベルの省電力点灯が実現される。このような複数の省電力信号の優先順位も、ユーザ又は照明システム１０を需要場所に設置する施工業者等によってリモートコントローラ３００を用いて設定されてもよい。
【００８３】
［２．動作］
照明制御装置１０１のフィードバック制御系の動作については、照明制御装置１００の場合と共通である。また、省電力信号が入力されているときに省電力信号以外の信号が入力された場合の動作も共通である。したがって、本変形例の説明においてこれらの信号に対する照明制御装置１０１による制御の動作の説明は省略し、以下では、外部から入る２つの省電力信号に対する照明制御装置１０１による制御の動作について説明する。
【００８４】
図７は、照明制御装置１０１に外部から入力される信号に対応する調光率の変化を示すタイミング図である。
【００８５】
図７に示される第１省電力信号及び第２省電力信号は、照明制御装置１０１にデマンドコントローラ４００から入力される信号である。第１省電力信号及び第２省電力信号は基本的に、単独ではいずれも照明システム１０が設置されている需要場所全体に有効であり、照明制御装置１０１によって制御される照明器具２００のすべてが対象である。
【００８６】
なお、図７を参照してする以下の説明では、例として、上記の構成を有する照明システム１０において、第１省電力信号に対応づけて設定されている調光率は８０％であり、第２省電力信号に対応づけて設定されている調光率は７０％である。また、第２省電力信号は第１省電力信号よりも優位な省電力信号に設定されている。これらの調光率及び優先順位は、例えば上述のとおり照明システム１０の設置時に施工業者によってリモートコントローラ３００を用いて設定され、すでに記憶部１１０に記憶されている。図８は、デマンドコントローラ４００からの省電力信号に対応づけて設定され、記憶部１１０記憶される調光率のデータ構成の例を示す。この例では、制御部１２０が第１省電力信号を受信しているときに実行される省電力点灯がデマンド制御Ａとして、制御部１２０が第２制御信号を受信しているときに実行される省電力点灯がデマンド制御Ｂとして登録され、各デマンド制御と同じ行には、設定された調光率と優先順位とが入力されている。
【００８７】
以下、第１省電力信号及び第２省電力信号の入力に対する照明制御装置１０１の動作を時系列に沿って説明する。なお、下記の動作は例示を目的として想定したものであり、本変形例に係る照明制御装置１０１及びこれを含む照明システム１０の動作は下記の内容に限定されない。また、下記の調光率の数値は例示を目的として挙げるものであり、本変形例に係る照明制御装置１０１の動作はこれらの数値に限定されない。
【００８８】
まず、最初の時間区間である区間Ａでは、この需要場所で省電力点灯の実行を指示する省電力信号は発せられていない。このとき照明制御装置１０１の制御部１２０は、区間Ａにおいて上記の実施の形態で説明したフィードバック制御を実行している。すなわち、制御部１２０は、明るさ情報取得部１３０から取得する明るさ情報が示す明るさが、記憶部１１０から取得した目標値になるよう調光率を決定し、決定した調光率を示す制御信号を、送信部１４０を介して照明器具２００に送信する。図示の例では、区間Ａにおいては約５０％の調光率で目標値の明るさが得られている。
【００８９】
なお、図７においても図４と同様に、調光率の推移を示す線が二重線である範囲では、フィードバック制御が実行されることで調光率が決定されていることを示す。
【００９０】
区間Ａに続く区間Ｂは、デマンドコントローラ４００から第１省電力信号が発せられた時に開始する。受信部１５０を介して第１省電力信号を受信している制御部１２０は、記憶部１１０にアクセスし、第１省電力信号に対応づけられた調光率を取得する。この例で、制御部１２０が取得する調光率は「８０％」である。本変形例でも、制御部１２０は記憶部１１０から取得した調光率をそのまま照明器具２００に適用するのではなく、その調光率を示す割合を第１割合として用いて目標値に乗じる。そして制御部１２０は、この乗算によって下げられた目標値と、逐次取得する明るさ情報とに基づいて照明器具２００の調光率を決定する。
【００９１】
なお、図中の破線は、記憶部１１０から取得された調光率がそのまま照明器具２００に適用された場合の調光率の推移を示す。この場合、区間Ｂでの調光率は区間Ａよりも高い。つまり照明器具２００は、省電力での動作を実現できない。続く区間Ｃ及び区間Ｄにおいても同様である。
【００９２】
区間Ｂに続く区間Ｃは、デマンドコントローラ４００から第２省電力信号が発せられた時に開始する。
【００９３】
受信部１５０を介して第２省電力信号を受信している制御部１２０は、記憶部１１０にアクセスし、第２省電力信号に対応づけて設定されている調光率と共に、現在受信している第１省電力信号と第２省電力信号の優先順位を取得する。上記のとおり、第２省電力信号は第１省電力信号より優位な信号に設定されている。この情報を取得した制御部１２０は、第１省電力信号に対応づけられた調光率に代えて、第２省電力信号に対応づけられた調光率（この例では７０％）を示す割合を第２割合として用いて目標値に乗じる。例えば、区間Ｂで下げられた目標値を８０％で除して元の目標値を得て、この元の目標値に７０％を乗じることであらためて目標値を下げる。そして制御部１２０は、この乗算によって下げられた目標値と、逐次取得する明るさ情報とに基づいて照明器具２００の調光率を決定する。
【００９４】
また、第２省電力信号がより優位であるため、区間Ｃにおいては第１省電力信号の入力の有無が変わっても、制御部１２０は目標値を変更しない。
【００９５】
区間Ｃに続く区間Ｄは、デマンドコントローラ４００が第２省電力信号の発信を停止した時に開始する。区間Ｄでは、第２省電力信号の発信の停止の結果、制御部１２０は第１省電力信号のみを受信する。第１省電力信号のみを受信している制御部１２０は、区間Ｂと同様の制御を実行する。
【００９６】
区間Ｄに続く区間Ｅは、デマンドコントローラ４００が第１省電力信号の発信を停止した時に開始する。区間Ｅでは、第１省電力信号の発信の停止の結果、制御部１２０いずれの省電力信号も受信しない。したがって、制御部１２０は区間Ｅにおいては区間Ａと同様の制御を実行する。
【００９７】
［３．効果等］
このように、照明器具２００を制御する本変形例における照明制御装置１０１においては、制御部１２０は、省電力信号として、一時に第１省電力信号及び第２省電力信号の少なくとも一方を受信する。上記の実施の形態における所定の割合としては、第１省電力信号及び第２省電力信号のうち、第１省電力信号のみを受信しているときに制御部１２０が目標値に乗じる割合である第１割合と、第２省電力信号のみを受信しているときに制御部が１２０目標値に乗じる割合であって第１割合と異なる第２割合とが設定されている。上記の動作の例では、第１割合は８０％であり、第２割合は７０％である。
【００９８】
このように複数の系統で省電力信号が入力されるように構成することで、照明器具２００の省電力点灯に複数のレベルを設定することができる。これにより、照明システム１０においては、需要場所での電力使用のペースや電気事業者の電力供給の逼迫度合いに応じた省電力点灯が実現される。また例えば、一方は需要場所の契約電力と、この需要場所での現在の使用電力との対比に基づいて入力される信号であり、他方は電気事業者からの通信網を介した省電力の要請の有無に基づいて入力される信号であってもよい。
【００９９】
また、第１省電力信号と第２省電力信号とは、一方が他方に対して優位な信号に設定されている。上記の動作の例では、第２省電力信号は、第１省電力信号よりも優位な省電力信号に設定されている。これらの第１省電力信号及び第２省電力信号の両方を並行して受信しているとき、制御部１２０は、目標値に第２割合を乗じて下げる。これにより、照明器具２００の複数レベルの省電力点灯が実現される。また、上記の実施の形態に係る照明制御装置１００の場合と同様に、本変形例に係る照明制御装置１０１において、フィードバック制御とデマンド制御との調和が図られ、照明システム１０は省電力での動作を実現することができる。
【０１００】
（その他の実施の形態等）
以上、実施の形態及びその変形例に係る照明制御装置について説明したが、本発明はこれらに限定されない。
【０１０１】
例えば、外部から照明制御装置１００に入力される各信号の形式は上記に限定されない。例えばシーン制御のための第１操作信号は、接点入力による信号でもよい。
【０１０２】
また、リモートコントローラ３００を用いた目標値の設定方法は上記の例に限定されない。例えばユーザがのリモートコントローラ３００に入力した被照射面の明るさ（照度）数値が照明制御装置１００又は１０１に転送されることで設定されてもよい。
【０１０３】
また、シーン制御の対象は需要場所の一部である一区画にある照明器具２００に限定されない。例えば一需要場所にある複数の区画、又は一需要場所全体にある照明器具２００がシーン制御の対象であってもよい。
【０１０４】
また、スポット制御の対象の照明器具２００の個数は限定されず、複数の場合にはその配置は限定されない。
【０１０５】
その他、上記の実施の形態及びその変形例から当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１０６】
１００、１０１  照明制御装置
１１０  記憶部
１２０  制御部
１３０  明るさ情報取得部
１４０  送信部
１５０  受信部
３００  リモートコントローラ
【図１】
0006704193.tif 000002
【図２】
0006704193.tif 000003
【図３】
0006704193.tif 000004
【図４】
0006704193.tif 000005
【図５Ａ】
0006704193.tif 000006
【図５Ｂ】
0006704193.tif 000007
【図６】
0006704193.tif 000008
【図７】
0006704193.tif 000009
【図８】
0006704193.tif 000010